(57)【要約】【課題】  エバポレータの側面の部分を確実に密封でき、エバポレータの周囲を通って空気が漏れることを防止できる空調装置を提供する。【解決手段】  エバポレータ２の側面に設けた断熱材８と、エバポレータ２を収容するケースに設けられ、断熱材８の突出部分８ａに当接する受け壁９と、ケースの開口を覆うカバー５に設けられ、断熱材９を受け壁９との間で挟持する押え壁１０とからなる封止構造６を備えた。これにより、エバポレータ２の側面に断熱材８を配置し、エバポレータ２をケースに収納することにより受け壁９を断熱材８の突出部分８ａに当接させる。次いで、ケースの開口にカバー５を装着することにより、押え壁１０と受け壁９とで断熱材８の突出部分８ａを挟持するとともに、押え壁１０とエバポレータ２の側面とで断熱材８の他の部分を挟持する。【選択図】      図２
2006248475.tif 000002
【特許請求の範囲】
【請求項１】
エバポレータ（２）の周囲を通過する風を封止する封止構造（６）を有する空調装置（１）であって、
前記封止構造（６）が、前記エバポレータ（２）の側面に設けられる断熱材（９）と、前記エバポレータ（２）を収容するケース（３）に設けられ、前記断熱材（９）に当接する受け壁（９）と、前記ケース（３）の開口（４）を覆うカバー（５）に設けられ、前記断熱材（９）を前記受け壁（９）との間で挟持する押え壁（１０）とからなることを特徴とする空調装置（１）。
【発明の詳細な説明】
【技術分野】
【０００１】
本発明は、空気冷却用エバポレータを備えた車両用空調装置などの空調装置に関する。
【背景技術】
【０００２】
この種の従来の空調装置に関連するものとして、例えば、特許文献１に記載されているように、エバポレータの側面の全長（上下方向の全長）にわたってシール板を装着した「車両用空調装置」が提案されている。この従来技術にあっては、エバポレータの側面の全長にわたってシール板でエバポレータの側面およびケースの間を密封することにより、空気がエバポレータの熱交換部を通ることなくエバポレータの周囲を通って漏れ出すことを防止できる。
【特許文献１】特開平７−２２３４２４号公報（段落番号００２２、図５）
【発明の開示】
【発明が解決しようとする課題】
【０００３】
しかしながら、特許文献１に記載されている従来技術では、エバポレータの側面およびケースの間を密封するため、エバポレータの側面の全長にわたってシール板を装着する必要があった。しかしながら、エバポレータの厚さ寸法が小さくなる傾向（いわゆる薄厚化の傾向）に伴って、エバポレータの側面の全幅に配管フランジが配置されるので、エバポレータの側面の全長にわたってシール板を装着することができないという問題があった。なお、エバポレータの側面の代わりにエバポレータの前面にシール板を装着しようとすると、エバポレータの熱交換部を通過する空気が少なくなり熱交換効率が低下するので、上述したようにエバポレータの側面にシール板を配置する必要がある。
【０００４】
本発明は、上記のような従来技術を考慮してなされたもので、その目的は、エバポレータの側面の部分を確実に密封でき、エバポレータの周囲を通って空気が漏れることを防止することのできる空調装置を提供することにある。
【課題を解決するための手段】
【０００５】
上記目的を達成するため本発明は、エバポレータの周囲を通過する風を封止する封止構造を有する空調装置であって、前記封止構造が、前記エバポレータの側面に設けられる断熱材と、前記エバポレータを収容するケースに設けられ、前記断熱材に当接する受け壁と、前記ケースの開口を覆うカバーに設けられ、前記断熱材を前記押え壁との間で挟持する押え壁とからなる構成にしてある。
【０００６】
このように構成した本発明では、エバポレータの側面に配管フランジが配置された場合、エバポレータの側面のうち配管フランジが当接する部分以外に断熱材を装着するとともに、この断熱材の一部を、エバポレータの側面の端部から突出させる。そして、エバポレータをケースに収納することにより、ケースに設けた受け壁を上記の断熱材の突出部分に当接させ、次いで、ケースの開口にカバーを装着することにより、カバーに設けた押え壁と上記の受け壁とで断熱材の突出部分を挟持するとともに、上記の押え壁とエバポレータの側面とで断熱材の他の部分を挟持する。これにより、断熱材でエバポレータの側面の部分を確実に密封でき、エバポレータの周囲を通って空気が漏れることを防止できる。
【発明の効果】
【０００７】
本発明では、エバポレータの側面に配管フランジが配置された場合でも、エバポレータの側面の部分を確実に密封でき、エバポレータの周囲を通って空気が漏れることを防止できる。したがって、熱交換効率が良好であり、かつ厚さ寸法が小さくなる薄厚化の傾向に対応したエバポレータを提供できるという効果がある。
【発明を実施するための最良の形態】
【０００８】
以下、本発明の実施の形態に係る空調装置の詳細を図に基づいて説明する。
【０００９】
図１は本発明の一実施形態に係る空調装置を示す斜視図、図２は本実施形態に設けられる封止構造の部分を拡大して示す斜視図、図３は本実施形態に設けられるケースの斜視図、図４は図３のケースに設けられる受け壁の部分を示す斜視図、図５は図３のケースに設けられる受け壁の部分を示す側面図、図６はケースの受け壁が断熱材の突出部分に当接する状態をケースの開口側から見た側面図、図７は本実施形態に設けられるカバーの斜視図である。
【００１０】
図１に示す本実施形態の空調装置１は、内部を冷媒が循環し、通過する空気を冷却するエバポレータ２と、このエバポレータ２を収容する図３のケース３と、このケース３の開口４を覆う図７のカバー５と、エバポレータ２の周囲を通過する風を封止する封止構造６とを備えている。なお、エバポレータ２の側面上部には、図示しない配管が接続される配管フランジ７が配置され、前記の配管はケース３の開口４を通って外部へ導出される。
【００１１】
そして、上記の封止構造６は、裏面側がエバポレータ２の側面に装着される平板状の断熱材８（シール部材）と、ケース３に設けられ、断熱材８の裏面に当接する受け壁９と、カバー５に設けられ、断熱材８の表面に当接して断熱材８を受け壁９との間で挟持する押え壁１０とから構成されている。また、エバポレータ２の上部にも他の断熱材１１が装着されている。なお、上記の受け壁９はケース３と一体に設けられているが、図１および図２において説明を容易にするため、上記の受け壁９の部分のみが図示され、ケース３の本体側の図示が省略されている。同様に、上記の押え壁１０はカバー５と一体に設けられているが、図２において上記の押え壁１０の部分のみが図示され、カバー５の本体側の図示が省略されている。
【００１２】
平板状の断熱材８は、エバポレータ２の側面のうち配管フランジ７が配置される部分以外に当接している。また、断熱材８は、エバポレータ２の側面の前端から下流側（図１および図２の手前側）へ突出する部分８ａを有している。
【００１３】
そして、本実施形態の空調装置１にあっては、エバポレータ２の側面のうち配管フランジ７が当接する部分以外に断熱材８を装着するとともに、この断熱材８８の突出部分８ａをエバポレータ２の側面の前端から突出させる。次いで、エバポレータ２をケース３に収納することにより、図６に示すように、ケース３に設けた受け壁９を断熱材８の突出部分８ａの裏面に当接させる。次いで、ケース３の開口４にカバー５を装着することにより、カバー５に設けた押え壁１０と上記の受け壁９とで断熱材８の突出部分８ａを挟持するとともに、断熱材８の他の部分を押え壁１０とエバポレータ２の側面とで挟持する。
【００１４】
このように構成した実施形態では、エバポレータ２の側面に配置した断熱材８でエバポレータ２の側面の部分を確実に密封でき、エバポレータ２の周囲を通って空気が漏れることを防止できる。
【産業上の利用可能性】
【００１５】
本発明は、エバポレータの側面に配管フランジが配置された場合でも、エバポレータの側面の部分を確実に密封でき、したがって、熱交換効率が良好であり、かつ厚さ寸法が小さくなる薄厚化の傾向に対応したエバポレータを提供できるという効果があるので、車両用空調装置として適用できるとともに、その他、一般機械用あるいは産業機械用などの空調装置としても広く適用可能である。
【図面の簡単な説明】
【００１６】
【図１】本発明の一実施形態に係る空調装置を示す斜視図である。
【図２】本実施形態に設けられる封止構造の部分を拡大して示す斜視図である。
【図３】本実施形態に設けられるケースの斜視図である。
【図４】図３のケースに設けられる受け壁の部分を示す斜視図である。
【図５】図３のケースに設けられる受け壁の部分を示す側面図である。
【図６】ケースの受け壁が断熱材の突出部分に当接する状態をケースの開口側から見た側面図である。
【図７】本実施形態に設けられるカバーの斜視図である。
【符号の説明】
【００１７】
１  空調装置
２  エバポレータ
３  ケース
４  開口
５  カバー
６  封止構造
７  配管フランジ
８  断熱材
８ａ  突出部分
９  受け壁
１０  押え壁
【図１】
2006248475.tif 000003
【図２】
2006248475.tif 000004
【図３】
2006248475.tif 000005
【図４】
2006248475.tif 000006
【図５】
2006248475.tif 000007
【図６】
2006248475.tif 000008
【図７】
2006248475.tif 000009